(57)【要約】【課題】被介助者を移動させる際等に手軽に使用できて、介助者と被介助者双方の負担を軽減させることのできる介助ベルトを提供する。【解決手段】着用者の移動を介助するための介助ベルトであって、前記着用者の胴部を取り巻いて前記着用者に装着されるベルト部と、前記着用者の股下を通るように前記ベルト部に取り付けられ、前記着用者の股部を保持する保持部と、少なくとも前記ベルト部において着用者の胴部の両側面に対応する位置に設けられた複数の把持部とを備えたことを特徴とする。【選択図】図１
2018126392.tif 000002
【特許請求の範囲】
【請求項１】
着用者の移動を介助するための介助ベルトであって、
前記着用者の胴部を取り巻いて前記着用者に装着されるベルト部と、
前記着用者の股下を通るように前記ベルト部に取り付けられ、前記着用者の股部を保持する保持部と、
前記ベルト部において、少なくとも前記着用者の胴部の両側面に対応する位置に設けられた複数の把持部と、
を備えたことを特徴とする介助ベルト。
【請求項２】
請求項１に記載の介助ベルトにおいて、
前記ベルト部は、第１の帯と、前記第１の帯に取り付けられたベルトとを備え、
前記複数の把持部は、前記ベルト部において前記ベルトに固定されている
ことを特徴とする介助ベルト。
【請求項３】
請求項１又は２に記載の介助ベルトにおいて、
前記複数の把持部は、さらに、前記着用者の背面に対応する位置に設けられている
ことを特徴とする介助ベルト。
【請求項４】
請求項１〜３のいずれか１項に記載の介助ベルトにおいて、
前記保持部は、
一端が前記ベルト部において前記着用者の後側に対応する位置に取り付けられ、他端が前記ベルト部において前記着用者の前側に対応する位置に取り付けられた第２の帯と、
前記第２の帯と交差するように、一端が前記ベルト部において前記着用者の後側に対応する位置に取り付けられ、他端が前記ベルト部において前記着用者の前側に対応する位置に取り付けられた第３の帯とを備える
ことを特徴とする介助ベルト。
【請求項５】
請求項４に記載の介助ベルトにおいて、
前記保持部は、前記第２及び第３の帯の前記後側の各一端と、前記第２及び第３の帯が交差する部分とに囲まれる範囲を覆う布体をさらに備える
ことを特徴とする介助ベルト。
【請求項６】
請求項１〜５のいずれか１項に記載の介助ベルトにおいて、
前記把持部は、前記ベルト部から突出するアーチ状に取り付けられている
ことを特徴とする介助ベルト。
【請求項７】
請求項１〜６のいずれか１項に記載の介助ベルトにおいて、
前記保持部が、ナイロン素材で構成されている
ことを特徴とする介助ベルト。
【発明の詳細な説明】
【技術分野】
【０００１】
本発明は、被介助者を移動させる際等に被介助者に着用させる介助ベルトに関する。
【背景技術】
【０００２】
特許文献１では、パンツのように身体障害者に装着でき、身体障害者を安全に移動させることを可能とするための介助ベルトが開示されている。具体的に、特許文献１の介助ベルトは、略三角形を呈し互いに対応して臀部前後を覆うことができる２つの側面覆部と、前記２つの側面覆部の外側両端に設けられる紐とを含んでいる。特許文献１の介助ベルトは、身体障害者が装着した状態において介助者が身体障害者の胴囲両側にある紐を縛り、縛った箇所を掴んで使用される。
【先行技術文献】
【特許文献】
【０００３】
【特許文献１】実用新案登録第３１８７４１４号公報
【発明の概要】
【発明が解決しようとする課題】
【０００４】
特許文献１によると、介助の際には、両脇に設けられた紐の縛った結び目を掴ませている。このため、特許文献１の介助ベルトは、介助をしている最中に、締めた紐の結び目が緩んで不安定になったり、あるいは紐が着用者の胴に食い込んで苦痛を与えたりするような問題がある。
【０００５】
本発明は、被介助者を移動させる際等に手軽に使用できて、介助者と被介助者双方の負担を軽減させることのできる介助ベルトを提供することを目的とする。
【課題を解決するための手段】
【０００６】
第１の発明は、着用者の移動を介助するための介助ベルトであって、
前記着用者の胴部を取り巻いて前記着用者に装着されるベルト部と、
前記着用者の股下を通るように前記ベルト部に取り付けられ、前記着用者の股部を保持する保持部と、
前記ベルト部において、少なくとも前記着用者の胴部の両側面に対応する位置に設けられた複数の把持部と、
を備えたことを特徴とする。
【０００７】
第２の発明は、第１の発明に係る介助ベルトにおいて、
前記ベルト部は、第１の帯と、前記第１の帯に取り付けられたベルトとを備え、
前記複数の把持部は、前記ベルト部において前記ベルトに固定されていることを特徴とする。
【０００８】
第３の発明は、第１又は２発明に係る介助ベルトにおいて、
前記複数の把持部は、さらに、前記着用者の背面に対応する位置に設けられていることを特徴とする。
【０００９】
第４の発明は、第１〜３の発明のいずれか１つに係る介助ベルトにおいて、
前記保持部は、
一端が前記ベルト部において前記着用者の後側に対応する位置に取り付けられ、他端が前記ベルト部において前記着用者の前側に対応する位置に取り付けられた第２の帯と、
前記第２の帯と交差するように、一端が前記ベルト部において前記着用者の後側に対応する位置に取り付けられ、他端が前記ベルト部において前記着用者の前側に対応する位置に取り付けられた第３の帯とを備えることを特徴とする。
【００１０】
第５の発明は、第４の発明に係る介助ベルトにおいて、
前記保持部は、前記第２及び第３の帯の前記後側の各一端と、前記第２及び第３の帯が交差する部分とに囲まれる範囲を覆う布体をさらに備えることを特徴とする。
【００１１】
第６の発明は、第１〜５の発明のいずれか１つに係る介助ベルトにおいて、
前記把持部は、前記ベルト部から突出するアーチ状に取り付けられていることを特徴とする。
【００１２】
第７の発明は、第１〜６の発明のいずれか１つに係る介助ベルトにおいて、
前記保持部が、ナイロン素材で構成されていることを特徴とする。
【発明の効果】
【００１３】
本発明によると、被介助者をベッドや車椅子等に移動させる際に、容易に被介助者に装着させられて、被介助者に苦痛を与えないで、少ない力で移動させることができる。よって、被介助者を移動させる際等に手軽に使用できて、介助者と被介助者双方の負担を軽減させることができる。
【図面の簡単な説明】
【００１４】
【図１】本発明の一実施形態に係る介助ベルトの斜視図である。
【図２】本発明の一実施形態に係る介助ベルトの正面図である。
【図３】本発明の一実施形態に係る介助ベルトの背面図である。
【図４】本発明の一実施形態に係る介助ベルトの分解図である。
【図５】介助ベルトの帯の縫い方を例示する図である。図５（ａ）は、介助ベルトにおける帯の縫い方を示す平面図である。図５（ｂ）は、図５（ａ）のＡ−Ａ’線断面図である。
【図６】本発明の一実施形態に係る介助ベルトを被介助者に穿かせる様子を示す。
【図７】本発明の一実施形態に係る介助ベルトを被介助者に装着し終えた様子を示す。
【図８】本発明の一実施形態に係る介助ベルトのの背面側の把持部の使用例を示す。
【図９】本発明の一実施形態に係る介助ベルトの側面両側の把持部の使用例を示す。
【図１０】本発明の一実施形態に係る介助ベルトの側面両側の把持部の使用例を示す。
【発明を実施するための形態】
【００１５】
被介助者の移動の際に、安全かつ手軽に使える介助用品が求められている。長年の闘病等により下肢や体幹が衰えている被介助者を移動させるときに、瞬時に被介助者の体を支えなければならない場面は多くある。大掛かりな移動補助器具は、設置場所等が限定される等の問題があって、必ずしも使い易いとは言えない。
【００１６】
そこで本発明者は、被介助者に寝ている姿勢で容易に装着させられて、小さな力で被介助者の移動を介助することができる介助ベルトの発明を着想した。
【００１７】
以下、本発明の一実施形態に係る介助ベルトを、図面を用いて説明する。
【００１８】
図1は、本発明の一実施形態に係る介助ベルトの斜視図である。介助ベルトは被介助者に着用させて、被介助者（着用者）の移動を介助するための介助用具である。図1に示すように、本実施の形態に係る介助ベルト５００は、ベルト部１０と保持部２０と複数の把持部３０とを有することを特徴としている。
【００１９】
ベルト部１０は、被介助者の胴部を取り巻いて被介助者に装着される部材である。保持部２０は着用した被介助者の股部を保持する部材である。保持部２０は、介助ベルト１００を着用する際に被介助者の股下を通るようにベルト部１０に取り付けられている。介助ベルト５００は図１に示すように、パンツ状に構成される。複数の把持部３０は、ベルト部１０において、被介助者の胴部の両側面及び背面に対応する位置に複数設けられ、持ち手を構成する。
【００２０】
ベルト部１０は、第１の帯１１０と、第１の帯１１０に取り付けられたベルト１２０とを備える。ベルト１２０は第1の帯１１０に縫い付けても良いし、接着剤で張り付けても良い。また、ベルト部１０において、複数の把持部３０がベルト１２０に固定されている。第１の帯１１０の端部１１１近傍においては、ベルト１２０が取り付けられていない。ベルト部１０は、各端部１１１が、被介助者の胴部で結ばれて装着される。その第１の帯１１０の結び目１１３は、着用者の正面（前面）に位置する。
【００２１】
図２は、本発明の一実施形態に係る介助ベルトの正面図である。図２に示すように、本実施の形態に係る介助ベルト５００の保持部２０は、第２及び第３の帯２１０，２２０を備える。第２及び第３の帯２１０，２２０は、例えばナイロン素材で構成される。
【００２２】
第２の帯２１０の一端２１１は、ベルト部１０において着用者の正面における左側（図中右側）に対応する位置に取り付けられている。第３の帯２２０の一端２２１は、ベルト部において着用者の正面における右側（図中左側）に対応する位置に取り付けられている。
【００２３】
第２及び第３の帯２１０，２２０の他端２１２，２２２（図３参照）は、第２及び第３の帯２１０，２２０が互いに交差するように、ベルト部１０において着用者の後側に取り付けられる。第２及び第３の帯２１０，２２０の交差している部分２４０は互いに縫い付けられている。この交差部分２４０は、着用者の股下に対応する位置となり、着用者の股下を保持する。
【００２４】
ベルト部１０は、第1の帯１１０を結び、次に、ベルト１２０を締めることにより、着用者の胴囲に固定されて装着できる。また、ベルト１２０の端部１２１にはそれぞれバックル１２２が取り付けられていて、バックル１２２を嵌めこむことにより容易にベルト１２０を締めることができる。また、ベルト１２０は、例えば混紡テープ等の綿ベルトで構成される。また、第１の帯１１０は、例えばナイロン素材で構成される。
【００２５】
図３は、本発明の一実施形態に係る介助ベルトの背面図である。図３に示すように、保持部２０は、布体２３０をさらに備える。布体２３０は、第２及び第３の帯２１０，２２０の後側の各一端２１２，２２２と、第２及び第３の帯２１０，２２０の交差部２４０とに囲まれる範囲を覆うように、縫い付けられている。
【００２６】
布体２３０は、第２及び第３の帯２１０，２２０の背面側において当て布を構成する。これにより、例えば介助ベルト５００をベッドに寝ている被介助者に穿かせる際にも、ベルト部背面側は安定した形状を保ち、体の下に差し込み易い。保持部２０によると、着用者の臀部は、第２及び第３の帯２１０，２２０と布体２３０とによって包み込むように保持される。
【００２７】
また、介助ベルト５００は、着用者の左脚に対応する位置に、ベルト部１０と第２及び第３の帯２１０，２２０とに囲まれる環状部分２５０Ｌが形成される。また、着用者の右脚に対応する位置に、ベルト部１０と第２及び第３の帯２１０，２２０とに囲まれる環状部分２５０Ｒが形成される。後述するように、この環状部分２５０Ｌ、２５０Ｒに着用者の左右の脚をそれぞれ通して穿かせて、胴囲に装着する。
【００２８】
図３に示すように、把持部３１０、３２０、３３０は、着用者の左右両脇に2か所と後側に1か所の対応する位置に、ベルト１２０の上に縫い付けて固定される。各把持部３０は、ベルト部１０から突出するアーチ状に取り付けられている。これにより、介助者が掴むときに掴みやすい。形状はバンド状のもので、例えば、長辺が約２０〜２３センチメートル、短辺が約２．５センチメートルの長方形である。介助ベルトを装着した被介助者を介助する際、介助者の手の指が把持部３０に入り易いように、把持部３０は適度の弛み（膨らみ）を持たせてベルト１２０上に縫い付けられる。
【００２９】
後述するように、ベッドから移動し車椅子に乗せるときは、着用者の左右両脇の2か所の把持部３１０，３２０を主に持って介助する。また、後側の把持部３３０を持って、被介助者をまっすぐに立ち上がらせて姿勢を直すこと等もできる。
【００３０】
図4は、本発明の一実施形態に係る介助ベルト５００の分解図である。介助ベルト５００の寸法の一例として、第１の帯１１０は、例えば、約６センチメートルの幅、及び１６０センチメートルの長さを有する。また、第２及び第３の帯２１０，２２０は、例えば８〜１０センチメートルの幅を有する。
【００３１】
この例では、第２及び第３の帯２１０，２２０は、第１の帯１１０を底辺として、底辺の長さ約２５センチメートル、高さ約３０センチメートルの逆二等辺三角形を成すように交差する。
【００３２】
また、第２及び第３の帯２１０，２２０は、それぞれ交差部２４０から約３５センチメートルの位置で、前側において第1の帯１１０に縫い付けられる。図４において、第２の帯２１０のｂｂ’は、着用者の正面側に位置する端部２１１との繋がり方を示している。また、第３の帯２２０のａａ’は、着用者の正面側に位置する端部２２１との繋がり方を示している。ここで第1の帯１１０は、結び紐にするために先端よりそれぞれ約４０センチメートルの部分を残している。つまり、第２及び第３の帯２１０，２２０の端部２１１，２２１は、第1の帯１１０の両端からそれぞれ約４０センチメートルの位置に縫い付けられる。
【００３３】
また、把持部３１０、３２０、３３０は、例えば、幅２センチメートルの混紡テープ等の綿ベルトから成り、それぞれ約２０センチメートルの長さを有する。
【００３４】
また、ベルト１２０は図４に示すように、例えば第1の帯１１０よりも短い長さを有し、端部１２１にバックル１２２を取り付けて、ベルト１２０の長さを調節可能としている。以上のような寸法等は例示であって、これに限定されない。
【００３５】
図5は、介助ベルト５００の帯の縫い方を例示する図である。図５を用いて、第１〜３の帯の縫い方の一例を説明する。図５（ａ）は、介助ベルト５００における帯の縫い方を示す平面図である。図５（ｂ）は、図５（ａ）のＡ−Ａ’線断面図である。
【００３６】
図５の例では、帯の長辺方向の縫い目において、縫い代を割った状態で、該縫い目が帯の短辺方向の中央に位置するように配置する。次に、縫い目の上をミシンのジグザク縫いで縫って、縫い代を上から押さえる（図５（ａ）参照）。
【００３７】
通常の縫い方の場合には、縫い目近傍では帯の布地が少なくとも４枚重ねとなって帯に厚みが出てしまう。これに対して、この縫い方によると布地は３枚重ねとなるために（図５（ｂ）参照）、帯を薄く仕立てることができる。薄く仕立てられたことにより帯の滑りが良い。かつ、介助ベルト５００を長時間着用する場合にも、座り心地が良く着用者の皮膚に負担を掛けずに済む。
【００３８】
次に、本発明の一実施形態に係る介助ベルト５００の使用方法を説明する。以下では、寝ている被介助者に介助ベルトを取り付けて、被介助者を車椅子に移乗させる例を説明する。被介助者はベッドに寝ていて、被介助者の着衣の上から本実施の形態の介助ベルト５００を装着させることとする。
【００３９】
図6は、介助ベルト５００を被介助者に穿かせる様子を示す。図7は、介助ベルト５００を被介助者に装着し終えた様子を示す。図6と7を用いて、被介助者に本発明の一実施形態に係る介助ベルトを着用させる方法を説明する。
【００４０】
まず、介助者６００は、介助ベルト５００をベッドに寝ている被介助者４００に穿かせる。このとき介助ベルト５００の布体２３０を被介助者４００の臀部側に向けて、介助ベルト５００の右環状部分２５０Ｒに被介助者の右足を通し、左環状部分２５０Ｌに左足を通す。さらに介助ベルト５００のベルト部１０を被介助者４００の胴囲まで引き上げる。
【００４１】
介助ベルト５００の第１から第３の帯は、ナイロン素材のような滑りの良い生地で作られているため、介助ベルト５００は、着衣の上からでも滑り易く穿かせやすい。また、本実施の形態の介助ベルト５００の臀部側の布体２３０によると、体を自由に動かすことが困難な被介助者であっても、被介助者４００の臀部の下に滑りこませ易く、容易に胴囲まで穿かせることができる。
【００４２】
次に、図７に示すように介助ベルト５００を被介助者４００の胴囲に装着する。被介助者４００の前面において、ベルト部１０の第1の帯１１０を例えばリボン結びで締める。さらに、第1の帯１１０の結び目１１２の上から、ベルト１２０の両端のバックル１２２を留めてベルトを締める。ベルト１２０は所望の長さに調節することができる。
【００４３】
ベルト部１０は、第1の帯１１０とベルト１２０が併設されて成ることにより、着用者の胴囲で安定して使用できる。また、帯１１０の幅がベルト１２０の幅より広いため、ベルト１２０が着用者１４０の胴部に食い込んで苦痛を与えることも避けられる。
【００４４】
また、図７に示すように、第２の帯２１０と第３の帯２２０は被介助者４００の股部で交差する。双方の交差部分２４０は縫い付けられていて、その部分で着用者４００の股下を保持する。さらに、介助ベルト５００の保持部２０は、被介助者４００の臀部側において、第２の帯及び第３の帯２１０，２２０と布体２３０によって被介助者４００の臀部を保持する(図８参照)。
【００４５】
このように介助ベルト５００の保持部２０は、被介助者にパンツ状に着用される。また、介助ベルト５００はナイロン素材で軽くて柔らかいために、パンツのような感覚で穿ける。そのため、介助ベルト５００を着用していることによる不快感を生じさせない。以上のように本実施の形態に係る介助ベルトは介助者にとっては扱い易く、被介助者も苦痛が少ない。
【００４６】
また、図７に示すように、被介助者４００の前側、腹部においては、第２及び第３の帯２１０，２２０の其々の一端２１１，２２１が左右にずれてベルト部１０に取り付けられている。介助ベルト５００は、着用者４００の前側の部分には、後側の布体２３０(図８参照)のようなものは設けていない。そのため介助者は、介助ベルト５００を装着させている状態で被介助者４００に排尿させるようなことも可能である。
【００４７】
図８は、介助ベルトの背面側の把持部の使用例を示す。図8では、介助者６００が介助ベルト５００の把持部３０を掴んで、被介助者４００の体を支えてベッド７００の上に座らせた状態を示している。
【００４８】
電動ベッド等に寝ている被介助者４００をベッド７００から起こす場合、ベッド７００を起こすと被介助者４００がベッド７００下方に擦り下がってしまうことが多い。このような場合に、図８に示すように、介助ベルト５００の背面側の把持部３３０を掴んで体４００を引き上げて、被介助者の体の位置を整えることができる。
【００４９】
例えば、まず、ベット７００を電動で起こして被介助者４００の体を起こした後、側面の把持部３１０，３２０等を用いて体を略９０度回してベッドの長辺に対して垂直になるようにする。つぎに、背面側の把持部３３０を持って、被介助者４００の体を手前にずらして、ベッド７００に腰掛けさせる。介助ベルト５００は滑り易い生地のため、被介助者４００の体が大きくて重い場合でも、把持部３３０を持って引張ることで、容易に被介助者４００の体をずらすことができる。
【００５０】
着用者の両脇2か所と後側に1か所設置された複数の把持部３０がアーチ状に取り付けられていることにより、介助者は把持部３０を、例えば手探りでも探しやすく、掴みたい方向から掴めて持ち易い。
【００５１】
図９及び１０は、介助ベルトの側面両側の把持部の使用例を示す。図９では、介助者６００は両手で介助ベルト５００の把持部３０を掴んで、ベッド７００に腰掛けている被介助者４００の体を持ち上げようとしている。図１０では、介助者４００が両手で介助ベルトの把持部３０を掴んで、ベッド７００から被介助者４００の体を持ち上げている。
【００５２】
介助者６００は、被介助者４００の両脇に位置にするそれぞれの把持部３１０，３２０を両手で掴んで、被介助者４００の体を持ち上げる。介助ベルト５００の保持部２０は、第２及び第３の帯２１０，２２０と布体２３０によって面状に構成されているため、体を持ち上げたときに、介助ベルト５００が股に食い込むなどの苦痛を被介助者４００に与えない。また、把持部３０を掴んで持ち上げることができるので、着用している被介助者４００の衣服を傷めにくい。さらに、把持部３０は十分な強度のベルト１２０に取り付けられているため、安定して持ち上げることができる。
【００５３】
図８，９，１０に示すように、把持部３０はベルト部１０から突出するアーチ状に取り付けられているため、介助者は咄嗟に掴むことができる。一般的に被介助者４００は、長年の闘病等で筋肉が衰えて体を支える力が弱いために、立たせることには困難、危険を伴うことがある。これに対して、把持部３０はその形状の特徴により、介助者６００が瞬時に掴めて、被介助者４００の転倒等の危険を回避することを可能とする。
【００５４】
さらに介助者６００は、把持部３１０，３２０を持ちながら被介助者４００を支えて、ベッドから立ち上がらせると速やかに、車椅子に座らせることができる。ここで、筋力の落ちた被介助者４００は自力で座りなおすことは難しいことが多い。そのため、介助者６００の座らせ方が悪い場合には、被介助者４００は悪い姿勢のままで座り続けることになって苦痛を与える。一方、体を持ち上げて被介助者４００を座り直させる場合は、一般的には大きな力を必要とする。これに対して、本介助ベルト５００によれば、把持部３０を握って小さな力で被介助者４００の体を正しい姿勢に座り直させることができる。
【００５５】
また、被介助者４００を車椅子から立ち上げる場合にも、本介助ベルト５００によると把持部３０を持って引き上げたり、支えたりすることによって介助することができる。
【００５６】
以上のように、本実施形態に係る介助ベルト５００は、着用者の移動を介助するための介助用のベルトである。介助ベルト５００は、着用者の胴部を取り巻いて着用者に装着されるベルト部１０と、着用者の股下を通るようにベルト部１０に取り付けられ、着用者の股部を保持する保持部２０と、ベルト部１０において、少なくとも着用者の胴部の両側面に対応する位置に設けられた複数の把持部３０とを有する。複数の把持部３０は、さらに着用者の背面に対応する位置に設けられている。
【００５７】
介助ベルト５００に設けられるベルト部１０は、第１の帯１１０と、第１の帯１１０に取り付けられたベルト１２０とを有する。ベルト部１０は、第１の帯１１０の上にベルト１２０が設置されていることにより、介助を受けているときのベルト１２０の強度が担保されるとともに、ベルト部がウエストに食い込む等の苦痛を被介助者に生じさせない。
【００５８】
また、介助ベルト５００に設けれる保持部２０は、第２の帯２１０を有する。第２の帯２１０は、一端がベルト部１０において着用者の後側に対応する位置に取り付けられる。他端はベルト部１０において着用者の前側に対応する位置に取り付けられる。また、保持部２０は、第３の帯２２０を有する。第３の帯２２０は、第２の帯２１０と交差するように、一端がベルト部１０において着用者の後側に対応する位置に取り付けられる。他端はベルト部１０において着用者の前側に対応する位置に取り付けられる。このような位置は、被介助者の体の大きさ等に応じて、適宜設定される。
【００５９】
また、介助ベルト５００の保持部２０は、第２及び第３の帯２１０，２２０の後側の各一端と、第２及び第３の帯２１０，２２０が交差する部分とに囲まれる範囲を覆う布体２３０を有する。これにより、介助者は介助ベルト５００をパンツのように容易に被介助者に装着させることができる。また、被介助者は介助されているときに介助ベルト５００の保持部２０が股下等に食い込んで苦痛を被るような事態を避けられる。
【００６０】
また、介助ベルト５００に設けられた複数の把持部３０は、ベルト部１０においてベルト１２０に固定されている。さらに、これらの複数の把持部３０は、ベルト部１０から突出するアーチ状に、ベルト１２０に固定されて取り付けられている。
【００６１】
これにより、介助者は介助中の姿勢や動作に応じて、適切な把持部３０を選んで素早く掴むことができる。転倒の危険を回避でき、被介助者の体をしっかりと支えられる。
【００６２】
また、介助ベルト５００は、保持部２０が、ナイロン素材で構成されている。これにより、介助ベルト５００は着衣の上からでも滑り易く穿かせやすい。また、着用者４００の体をずらす際にも、滑り易いので容易にずらすことができる。
【００６３】
さらに以上の介助ベルト５００によると、ベッドに寝かした状態で着衣の上から容易に履かせて装着できる。また、介助者は把持部３０を掴んで被介助者の身体を支えることにより、小さな力で容易に移動させたり、姿勢を正したりさせることができる。以上の介助ベルト５００によると、被介助者に苦痛を与えずに介助者の負荷を軽減させて、双方にとって安全な介助の実現を可能とする。
【符号の説明】
【００６４】
５００      介助ベルト
１０      ベルト部
２０      保持部
３０      把持部
１１０      第１の帯
１１１      第１の帯の端部
１１３      第１の帯の結び目
１２０      ベルト
１２１      ベルトの端部
１２２      ベルトのバックル
２１０      第２の帯
２１１、２１２      第２の帯の端部
２２０      第３の帯
２２１，２２２      第３の帯の端部
２３０      布体
２４０      第２及び第３の帯の交差部
２５０Ｌ      左環状部分
２５０Ｒ      右環状部分
３１０      把持部
３２０      把持部
３３０      把持部
４００      被介助者
６００      介助者
７００      ベッド
【図１】
2018126392.tif 000003
【図２】
2018126392.tif 000004
【図３】
2018126392.tif 000005
【図４】
2018126392.tif 000006
【図５】
2018126392.tif 000007
【図６】
2018126392.tif 000008
【図７】
2018126392.tif 000009
【図８】
2018126392.tif 000010
【図９】
2018126392.tif 000011
【図１０】
2018126392.tif 000012
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
着用者の移動を介助するための介助ベルトであって、
前記着用者の胴部を取り巻いて前記着用者に装着されるベルト部と、
前記着用者の下肢を通す二つの環状部分を構成するように前記ベルト部に固定され、前記着用者の股部を保持する保持部と、
前記ベルト部において、少なくとも前記着用者の胴部の両側面に対応する位置に設けられた複数の把持部と、を備え、
前記ベルト部は、第１の帯を備え、
前記保持部は、互いに交差する第２及び第３の帯であって、それぞれ一端が前記第１の帯において前記着用者の後側に対応する位置に取り付けられ、他端が前記第１の帯において前記着用者の前側に対応する位置に取り付けられた第２及び第３の帯を備え、
前記第１の帯の両端は、前記着用者の前側において、前記第２の帯が取り付けられた部分と前記第３の帯が取り付けられた部分との間に位置する
ことを特徴とする介助ベルト。
【請求項２】
請求項１に記載の介助ベルトにおいて、
前記ベルト部は、前記第１の帯に取り付けられ、前記第１の帯の幅より狭い幅を有するベルトを備え、
前記ベルトの端部には、バックルが設けられている
こと特徴とする介助ベルト。
【請求項３】
請求項２に記載の介助ベルトにおいて、
前記第２及び第３の帯の幅は、前記ベルトの幅より広い
ことを特徴とする介助ベルト。
【請求項４】
請求項２又は３に記載の介助ベルトにおいて、
前記複数の把持部は、前記ベルト部において前記ベルトに固定されている
ことを特徴とする介助ベルト。
【請求項５】
請求項１〜４のいずれか１項に記載の介助ベルトにおいて、
前記複数の把持部は、さらに、前記着用者の背面に対応する位置に設けられている
ことを特徴とする介助ベルト。
【請求項６】
請求項１〜５のいずれか１項に記載の介助ベルトにおいて、
前記保持部は、前記第２及び第３の帯の前記後側の各一端と、前記第２及び第３の帯が交差する部分とに囲まれる範囲を覆う布体をさらに備える
ことを特徴とする介助ベルト。
【請求項７】
請求項１〜６のいずれか１項に記載の介助ベルトにおいて、
前記把持部は、前記ベルト部から突出するアーチ状に取り付けられている
ことを特徴とする介助ベルト。
【請求項８】
請求項１〜７のいずれか１項に記載の介助ベルトにおいて、
前記保持部が、滑り易いナイロン素材で構成されている
ことを特徴とする介助ベルト。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
着用者の移動を介助するための介助ベルトであって、
前記着用者の胴部を取り巻いて前記着用者に装着されるベルト部と、
前記着用者の下肢を通す二つの環状部分を構成するように前記ベルト部に固定され、前記着用者の股部を保持する保持部と、
前記ベルト部において、少なくとも前記着用者の胴部の両側面に対応する位置に設けられた複数の把持部と、を備え、
前記ベルト部は、両端を有する第１の帯を備え、
前記保持部は、互いに交差する第２及び第３の帯であって、それぞれ一端が前記第１の帯において前記着用者の後側に対応する位置に取り付けられ、他端が前記第１の帯において前記着用者の前側に対応する位置に取り付けられた第２及び第３の帯を備え、
前記第１の帯の両端は、前記着用者の前側において、前記第２の帯が取り付けられた位置と前記第３の帯が取り付けられた位置との間に位置し、
前記各環状部分は、前記第１の帯と前記第２の帯と前記第３の帯とから成り、各帯を固定的に連結して構成される
ことを特徴とする介助ベルト。
【請求項２】
請求項１に記載の介助ベルトにおいて、
前記第１の帯の各端部は、前記第１の帯が結び目を形成可能に、前記第２及び第３の帯が取り付けられた位置から延在する
こと特徴とする介助ベルト。
【請求項３】
請求項１又は２に記載の介助ベルトにおいて、
前記ベルト部は、前記第１の帯に取り付けられ、前記第１の帯の幅より狭い幅を有するベルトを備え、
前記ベルトの端部には、バックルが設けられ、
前記第１の帯の長さは、前記ベルトの長さより長い
ことを特徴とする介助ベルト。
【請求項４】
請求項２又は３に記載の介助ベルトにおいて、
前記複数の把持部は、前記ベルト部において前記ベルトに固定されている
ことを特徴とする介助ベルト。
【請求項５】
請求項１〜４のいずれか１項に記載の介助ベルトにおいて、
前記複数の把持部は、さらに、前記着用者の背面に対応する位置に設けられている
ことを特徴とする介助ベルト。
【請求項６】
請求項１〜５のいずれか１項に記載の介助ベルトにおいて、
前記保持部は、前記第２及び第３の帯の前記後側の各一端と、前記第２及び第３の帯が交差する部分とに囲まれる範囲を覆う布体をさらに備える
ことを特徴とする介助ベルト。
【請求項７】
請求項１〜６のいずれか１項に記載の介助ベルトにおいて、
前記把持部は、前記ベルト部から突出するアーチ状に取り付けられている
ことを特徴とする介助ベルト。
【請求項８】
請求項１〜７のいずれか１項に記載の介助ベルトにおいて、
前記保持部が、ナイロン素材で構成されている
ことを特徴とする介助ベルト。